(57)【要約】【課題】アイロン台本体を帽子と同等程度の大きさで、且つ帽子の形状を崩すことなく帽子全体を容易にアイロン掛けするための帽子用アイロン台を提供することを目的とするものである。【解決手段】本考案の帽子用アイロン台は、表布７、クッション材７ａ、基材７ｂの三層で構成された帽子用アイロン台本体１を帽子と同等程度の大きさのドーム型の形状とし、中空５となった内部には帽子用アイロン台本体１を手に持ってアイロン掛けすることを可能とするための取っ手６を有することを特徴とした帽子用アイロン台の構成とした。【選択図】図４
0003128729.tif 000002
【実用新案登録請求の範囲】
【請求項１】
アイロン台本体を帽子と同等程度の大きさのドーム状に形成し、前記アイロン台本体は表布、クッション材、基材の三層で構成され、中空となった内部には取っ手を有することを特徴とする帽子用アイロン台。
【請求項２】
内部が中空のドーム状に形成され、表布、クッション材、裏布の三層で構成された調節カバーを取り付けることでアイロン台の大きさを調節可能としたことを特徴とする請求項１に記載の帽子用アイロン台。
【考案の詳細な説明】
【技術分野】
【０００１】
本考案は、帽子にアイロンを掛けるためのアイロン台であって、帽子の形状を崩すことなくアイロンを掛けやすくするためにアイロン台本体を手に持ちながら帽子にアイロンを掛けることが可能な帽子用アイロン台に関するものである。
【背景技術】
【０００２】
従来存在するアイロン台には、特許文献１に記載の人体の上半身に近い幅寸法を有する胴部を、前記胴部の長手方向に沿う中央部から両側縁部に向けて下がる二次元曲面で形成し、前記幅寸法より小さい幅寸法を有する頭部を前記胴部の一方の側面側から連続形成したアイロン台において、前記頭部を、前記中央部から下方に向かう三次元曲面で連続形成したことを特徴とするアイロン台がある。
【０００３】
前記の人体型アイロン台は、通常のアイロン台として使用でき、かつ三次元曲面を有する衣類、帽子、下着類などの三次元曲面を維持した状態で、アイロン掛けを行うことができるものである。
【０００４】
しかしながら、前記の人体型アイロン台は、通常のアイロン台としても使用できるものであるため大きいものであり、また、帽子等の三次元曲面をアイロン掛けする場合には、帽子の大きさに対して小さいアイロン台頭部を用いてアイロン掛けするため、アイロンを掛けたい帽子の面をその都度動かしながら使用しなくてはならず、帽子のアイロン掛けには非常に手間がかかる。
【特許文献１】特開２００４−２３６８２３号
【考案の開示】
【考案が解決しようとする課題】
【０００５】
そこで、本考案は、本体を帽子と同等程度の大きさで、かつ帽子の形状を崩すことなく帽子全体を容易にアイロン掛けするための帽子用アイロン台を提供することを目的とするものである。
【課題を解決するための手段】
【０００６】
本考案は、上記の課題を解決するために、表布７、クッション材７ａ、基材７ｂの三層で構成されたアイロン台本体１を帽子と同等程度の大きさのドーム状に形成し、中空５となった内部にはアイロン台本体１を手に持ってアイロン掛けすることを可能とするための取っ手６を有することを特徴とする帽子用アイロン台の構成とした。
【０００７】
また、本考案は、内部が中空のドーム状に形成され、表布１５、クッション材１５ａ、裏布１５ｂの三層で構成された調節カバー１１を帽子用アイロン台本体１に被せて使用することで、アイロン台の大きさを調節することができることを特徴とした帽子用アイロン台の構成とした。
【考案の効果】
【０００８】
本考案は、帽子と同等程度の大きさのドーム状に形成されたアイロン台本体に帽子を被せてアイロン掛けをすることで、帽子のもつ形状を崩すことなくアイロン掛けすることができ、アイロン台本体の内部に取り付けられた取っ手を手に持ってアイロン掛けすることで、帽子のあらゆる面に簡単にアイロンを当てることができる。
【０００９】
また、本考案は、内部が中空のドーム状に形成された調節カバーを帽子用アイロン台本体に被せて使用することで、アイロン台の大きさを調節することができ、子供用と大人用等、大きさの違う帽子のアイロン掛けにも対応することが可能である。
【考案を実施するための最良の形態】
【００１０】
図１は本考案である帽子用アイロン台の斜視図、図２は帽子用アイロン台の正面図、図３は帽子用アイロン台の平面図、図４は帽子用アイロン台の底面図、図５は帽子用アイロン台のＡ−Ａ断面図、図６は帽子用アイロン台のＢ−Ｂ断面図である。
【００１１】
図１から図３に示すように、本考案である帽子用アイロン台本体１は、ドーム状に形成されており、外面部２は６枚の三角形状の外面パーツ２ａ、２ｂ、２ｃ、２ｄ、２ｅ、２ｆの先端を頂点２ｇに集めるようにして成型され、帽子の形状すなわち人体の頭部に近い形状をしている。
【００１２】
図４から図６に示すように、本考案である帽子用アイロン台本体１は、内部が中空５となった厚みのあるドーム状に形成されている。すなわち、外面部２を構成する外面パーツ２ａ、２ｂ、２ｃ、２ｄ、２ｅ、２ｆよりも小さい三角形状の内面パーツ４ａ、４ｂ、４ｃ、４ｄ、４ｅ、４ｆの６枚によりドーム状に形成された内面部４の底辺と外面部２の底辺とを接合する輪状の底面パーツ３ａからなる底面部３によって、外面部２と内面部４の間に厚みが持たされている。
【００１３】
図５及び図６に示すように、前記外面部２と内面部４の間の厚みとは、帽子用アイロン台本体１を構成する三層の構成によるものである。前記三層の構成とは、表布７、クッション材７ａ、基材７ｂからなる構成である。
【００１４】
前記三層構成の第一の層である表布７は、帽子用アイロン台本体１の外面部２となる層で、耐熱素材の布あるいはテフロン（登録商標）加工が施された布等のアイロンの熱に耐えうる素材且つアイロンの滑りを良くする素材の布製の外面パーツ２ａ、２ｂ、２ｃ、２ｄ、２ｅ、２ｆを互いに接合することにより帽子用アイロン台本体１の全体を覆っている。
【００１５】
前記三層構成の第二の層であるクッション材７ａとは、フェルト材や圧縮した綿等が詰められた層であり、帽子用アイロン台本体１によりアイロン掛けをする帽子の形状を崩さない程度の適度な堅さとアイロンを掛けやすくするための柔らかさとを帽子用アイロン台本体１に持たせるための層である。
【００１６】
前記三層構成の第三の層である基材７ｂは、帽子用アイロン台本体１の内面部４となる層で、プラスチック等の硬さがありながらも軽い素材からなる内面パーツ４ａ、４ｂ、４ｃ、４ｄ、４ｅ、４ｆを互いに接合することで、帽子用アイロン台本体１の形状であるドーム型の形状を保持している。
【００１７】
また、図４から図６に示すように、本考案である帽子用アイロン台本体１の中空５に形成された内部には、かまぼこ形の取っ手６が取り付けられている。前記かまぼこ形の取っ手６はクッション材６ａが詰められ、中心部分には芯材６ｂが挿通しているので、手で持ちやすく型くずれしない程度の堅さとなっている。
【００１８】
図７及び図８は、本考案である帽子用アイロン台の使用状態を示す図である。図７は帽子用アイロン台本体に帽子を被せた状態を示す斜視図、図８は帽子用アイロン台本体を使用してアイロンを掛ける使用状態を示す斜視図である。
【００１９】
図７及び図８に示すように、本考案である帽子用アイロン台を使用して帽子のアイロン掛けをする場合には、帽子用アイロン台本体１に帽子８を被せる。この時、帽子用アイロン台本体１は、帽子８の形状に近いドーム型に形成されているので、帽子８が帽子用アイロン台本体１にすっぽりと被さり且つ帽子８の形状を崩すことなく保つことができる。
【００２０】
次に、アイロンを掛ける人は帽子用アイロン台本体１の内部に取り付けられた取っ手６を利き手と反対の手１０で持ち、利き手でアイロン９を持ってアイロン掛けをする。アイロン９を帽子８のアイロンを掛けたい面に当てるには、取っ手６を持った手１０を動かすだけで容易にアイロン９を当てることができる。
【００２１】
それによって、アイロン台を置くための広い場所を必要とせずに、容易に帽子の形状を崩すことなく帽子のアイロン掛けをすることが可能となる。
【実施例１】
【００２２】
図９及び図１０は、本考案である帽子用アイロン台よりも大きなサイズの帽子のアイロン掛けをする際に、帽子用アイロン台本体に取り付けて使用する調節カバーを示す図である。図９は調節カバーの斜視図、図１０は調節カバーの底面図、図１１は調節カバーのＣ−Ｃ断面図である。
【００２３】
図９から図１１に示すように、本考案である帽子用アイロン台本体１に取り付けて使用する調節カバー１１は、帽子用アイロン台本体１よりも大きなドーム状に形成され、外面部１２は三角形状の外面パーツ１２ａ、１２ｂ、１２ｃ、１２ｄ、１２ｅ、１２ｆの先端が頂点１２ｇに集められ、ドーム型の形状に成型されている。
【００２４】
底面部１３は厚みのある輪状の底面縁布１３ａによるものであり、底面縁部１３ｂに近い部分にはゴム１５ｃが挿通されている。
【００２５】
図１１のＣ−Ｃ断面図に示すように、調節カバー１１は三層により構成されている。前記の三層の第一の層は、外面部１２となる層である表布１５で、図１から図６に示した帽子用アイロン台本体１の表布７と同様に耐熱素材の布あるいはテフロン（登録商標）加工が施された布等のアイロンの熱に耐えうる素材且つアイロンの滑りを良くする素材の布製の外面パーツ１２ａ、１２ｂ、１２ｃ、１２ｄ、１２ｅ、１２ｆを互いに接合することで調節カバー１１全体を覆っている。
【００２６】
前記三層の第二の層は、クッション材１５ａでフェルトや圧縮した綿等を詰めることで、調節カバー１１に帽子用アイロン台本体１と同様の堅さと柔らかさとを持たせることができる。
【００２７】
前記三層の第三の層は、裏布１５ｂによる層で調節カバー１１の内面部１４を構成する層である。裏布１５ｂとは、内面部１４を構成する三角形状の内面パーツ１４ａ、１４ｂ、１４ｃ、１４ｄ、１４ｅ、１４ｆを互いに接合することで、ドーム型の形状を保持している。
【００２８】
図１２から図１５は調節カバーを使用して本考案である帽子用アイロン台本体を使用する場合の使用状態を示した図である。図１２は本考案である帽子用アイロン台本体に調節カバーを取り付けた斜視図、図１３は帽子用アイロン台本体に調節カバー取り付けたＤ−Ｄ断面図、図１４は調節カバーを取り付けた帽子用アイロン台本体に帽子を被せた状態の斜視図、図１５は調節カバーを取り付けた帽子用アイロン台本体に帽子を被せたＥ−Ｅ断面図である。
【００２９】
本考案である帽子用アイロン台本体１に調節カバー１１を使用してアイロン掛けをする場合には、図１２及び図１３に示すように、先ず、帽子用アイロン台本体１の表面に調節カバー１１をすっぽりと被せ、調節カバー１１の底面部１３を構成する底面縁布１３ａが帽子用アイロン台本体１の底面部３の底面パーツ３ａを覆うように被せる。
【００３０】
この時、調節カバー１１の底面縁部１３ｂに近い部分にゴム１５ｃが挿通されているので、調節カバー１１は帽子用アイロン台本体１をすっぽりと覆った状態で、調節カバー１１がずれることなく固定される。
【００３１】
次に、図１４及び図１５に示したように、調節カバー１１を取り付けた帽子用アイロン台本体１に帽子１６を被せる。ここで、調節カバー１１が帽子用アイロン台本体１に取り付けられていることで、帽子用アイロン台本体１の大きさが大きくなっており、サイズの大きな帽子１６をすっぽりと被せることができる。
【００３２】
その後、図８に示した帽子用アイロン台の使用状態と同じように、帽子用アイロン台本体１に取り付けた取っ手６を手で持ち、帽子１６にアイロン９を当ててアイロン掛けをすることで、サイズの大きな帽子１６の形状を崩すことなく、容易にアイロン掛けをすることができる。
【図面の簡単な説明】
【００３３】
【図１】帽子用アイロン台の斜視図である。
【図２】帽子用アイロン台の正面図である。
【図３】帽子用アイロン台の平面図である。
【図４】帽子用アイロン台の底面図である。
【図５】帽子用アイロン台のＡ−Ａ断面図である。
【図６】帽子用アイロン台のＢ−Ｂ断面図である。
【図７】帽子用アイロン台本体に帽子を被せた斜視図である。
【図８】帽子用アイロン台の使用状態を示す斜視図である。
【図９】調節カバーの斜視図である。
【図１０】調節カバーの底面図である。
【図１１】調節カバーのＣ−Ｃ断面図である。
【図１２】帽子用アイロン台に調節カバーを取り付けた斜視図である。
【図１３】帽子用アイロン台に調節カバーを取り付けたＤ−Ｄ断面図である。
【図１４】帽子用アイロン台に調節カバーを取り付けた使用状態の斜視図である。
【図１５】帽子用アイロン台に調節カバーを取り付けた使用状態のＥ−Ｅ断面図である。
【符号の説明】
【００３４】
１            帽子用アイロン台本体
２            外面部
２ａ〜２ｆ    外面パーツ
２ｇ          頂点
３            底面部
３ａ          底面パーツ
４            内面部
４ａ〜４ｆ    内面パーツ
５            中空
６            取っ手
６ａ          クッション材
６ｂ          芯材
７            表布
７ａ          クッション材
７ｂ          基材
８            帽子
９            アイロン
１０            手
１１            調節カバー
１２            外面部
１２ａ〜１２ｆ  外面パーツ
１２ｇ          頂点
１３            底面部
１３ａ          底面縁布
１３ｂ          底面縁部
１４            内面部
１４ａ〜１４ｆ  内面パーツ
１５            表布
１５ａ          クッション材
１５ｂ          裏布
１５ｃ          ゴム
１６            帽子
【図１】
0003128729.tif 000003
【図２】
0003128729.tif 000004
【図３】
0003128729.tif 000005
【図４】
0003128729.tif 000006
【図５】
0003128729.tif 000007
【図６】
0003128729.tif 000008
【図７】
0003128729.tif 000009
【図８】
0003128729.tif 000010
【図９】
0003128729.tif 000011
【図１０】
0003128729.tif 000012
【図１１】
0003128729.tif 000013
【図１２】
0003128729.tif 000014
【図１３】
0003128729.tif 000015
【図１４】
0003128729.tif 000016
【図１５】
0003128729.tif 000017